(57)【要約】本発明は、垂直プリズム度数が加入された累進加入度数レンズを提供する。提供されたレンズは、従来の累進加入度数レンズに比べて改善された像の質を提供する。
2005503576.tif 000002
【特許請求の範囲】
【請求項１】
加入度数と、
度数および基底を備えた近用度数帯の垂直プリズムと、
度数および基底を備えた実質的にレンズ全体に加入された垂直プリズムと
を有し、
上記加入された垂直プリズムの上記基底が、上記近用度数帯の垂直プリズムの上記基底と逆向きであり、
上記加入された垂直プリズムの上記度数が、上記加入度数の実質的に０．２５％に等しい、累進加入度数レンズ。
【請求項２】
累進加入度数の表面を含む光学予備成形物をさらに有する、請求項１記載のレンズ。
【請求項３】
光学予備成形物上の累進加入度数の表面をなす注入成形された層をさらに有する、請求項２記載のレンズ。
【請求項４】
（ａ）第１の加入度数と、度数および基底を備えた第１の近用度数帯の垂直プリズムと、度数および基底を備えた実質的にレンズ全体に加入された第１の垂直プリズムとを有する第１のレンズと、
（ｂ）第２の加入度数と、度数および基底を備えた第２の近用度数帯の垂直プリズムと、度数および基底を備えた実質的にレンズ全体に加入された第２の垂直プリズムとを有する第２のレンズと
を有し、
上記加入された第１の垂直プリズムおよび第２の垂直プリズムの上記基底が、各々、対応する上記第１の近用度数帯および第２の近用度数帯の垂直プリズムの上記基底と逆向きであり、
第１の加入された垂直プリズムおよび第２の加入された垂直プリズムの度数は、各々、対応する第１の加入度数および第２の加入度数の約０．２５％に等しく、
上記第１のレンズの任意の点での垂直プリズムおよび上記第２のレンズの対応する点での垂直プリズムの差が、実質的に０．５ジオプター以下である、一対の累進加入度数レンズ。
【請求項５】
第１のレンズおよび第２のレンズの少なくとも一方が、累進加入度数の表面を含む光学予備成形物をさらに有する、請求項４記載のレンズ。
【請求項６】
第１のレンズおよび第２のレンズの少なくとも一方が、光学予備成形物上の累進加入度数の表面をなす注入成形された層をさらに有する、請求項５記載のレンズ。
【請求項７】
（ａ）加入度数と、度数および基底を備えた近用度数帯の垂直プリズムとを有するレンズを提供する過程と、
（ｂ）実質的にレンズ全体に度数および基底を備えた垂直プリズムを加入する過程と
を有し、
加入された上記垂直プリズムの上記基底が、上記近用度数帯の垂直プリズムの上記基底と逆向きであり、
加入された上記垂直プリズムの上記度数が、上記加入度数の実質的に０．２５％に等しい、累進加入度数レンズの製造方法。
【請求項８】
過程（ｂ）が、サーフェーシング、注入成形、またはそれらの組み合わせによって実施される、請求項７記載の方法。
【請求項９】
（ａ）加入度数と、近用度数帯と、度数および基底を備えた近用度数帯の垂直プリズムとを有する光学予備成形物を提供する過程と、
（ｂ）上記光学予備成形物の少なくともひとつの表面の実質的に全体に度数および基底を備えた垂直プリズムを含む層を注入成形する過程と
を有し、
上記注入成形された層の上記垂直プリズムの上記基底が、上記近用度数帯の上記垂直プリズムの上記基底と逆向きであり、
上記注入成形された層の上記垂直プリズムの上記度数が、上記加入度数の実質的に０．２５％に等しい、累進加入度数レンズの製造方法。
【請求項１０】
光学予備成形物および注入成形された層のいずれか一方または両方が、形成されるべき完成品としてのレンズの遠用度数帯、近用度数帯、中間度数帯、および円柱屈折率の一部または全て、またはそれらの組み合わせをさらに有する、請求項９記載の方法。
【請求項１１】
光学予備成形物の少なくともひとつの表面が累進加入度数の表面からなり、注入成形された層が上記累進加入度数の表面を形成する、請求項９記載の方法。
【請求項１２】
注入成形された層が、光学予備成形物の前面上に注入成形される、請求項９記載の方法。
【発明の詳細な説明】
【技術分野】
【０００１】
本発明は、多焦点眼用レンズ（multifocal ophthalmic lenses）に関する。より詳しくは、本発明は、像の質を改善するようにプリズム度が加入された累進加入度数レンズ（progressive addition lenses）に関する。
【背景技術】
【０００２】
屈折異常（ametropia）を矯正するために眼用レンズを用いることはよく知られている。例えば、累進加入度数レンズ（ＰＡＬｓ：progressive addition lenses）などの多焦点レンズ（multifocal lenses）が老視（presbyopia）の治療に用いられる。典型的には、累進加入度数レンズ（ＰＡＬｓ）は、遠用度数帯、中間度数帯、および近用度数帯を有し、段階的に連続してジオプター度数が増加している。ＰＡＬｓは、二重焦点レンズおよび三重焦点レンズなどの他のタイプの多焦点レンズでみられる異なる度数帯間の境目（visible ledges）がないので、装用者に気に入られている。
【０００３】
しかし、装用者の頭および眼の動きに応じた像の位置、倍率、および、ボケ（blur）の変化が、ＰＡＬｓにはつきものである。像の質および動きに関するそれらの問題が、ＰＡＬの装用者がＰＡＬを受け入れて使用するのを困難にしている。これらの像に関する問題を改善するための公知の方法には、望まれない非点収差（astigmatism）またはレンズによって導入された非点収差をレンズの周辺部内に分散させるもの、チャネル（中間度数帯）を拡張してより段階的に度数を増加させるもの、および、ひとつより多くの累進度数の表面を用いてレンズを形成するものがある。これらの方法は、レンズの装用者に対して像のボケ、ゆがみ、および移動をもたらす処方されていないプリズム度数、またはひとつまたは複数のレンズ表面によって導入または引き起こされたプリズム度数による像の質への効果を相殺するものではないので不都合である。したがって、このような課題を解消するＰＡＬｓが必要とされている。
【発明を実施するための最良の形態】
【０００４】
本発明は、プリズム度数が加入されたレンズ、および、レンズの設計および製造方法を提供する。この加入されたプリズム度数は、レンズの処方されていない（unprescribed）プリズム度数の像の質に対する逆の効果を全体的にまたは部分的に解消する。
【０００５】
ある実施の形態では、本発明は、累進加入度数レンズを提供し、そのレンズは、加入度数、度数および基底を備えた近用度数帯の垂直プリズム、および実質的にレンズ全体に加入された度数および基底を備えた垂直プリズムを含み、加入度数、度数および基底を備えた近用度数帯の垂直プリズム、および実質的にレンズ全体に加入された度数および基底を備えた垂直プリズムを本質的に有し、および、加入度数、度数および基底を備えた近用度数帯の垂直プリズム、および実質的にレンズ全体に加入された度数および基底を備えた垂直プリズムを有し、加入された垂直プリズムの基底は近用度数帯の垂直プリズムの基底と逆向きであり、加入された垂直プリズムの度数は加入度数の実質的に０．２５％に等しい。
【０００６】
「累進加入度数レンズ」は、少なくともひとつの累進加入度数の表面を備えたレンズを意味する。「累進加入度数の表面」は、遠用度数帯および近用度数帯、および、遠用度数帯と近用度数帯とを結合する増加ジオプター度数帯を備えた連続した非球面である。「加入度数」は、累進加入度数レンズの遠用度数帯および近用度数帯のジオプター度数の差の大きさを意味する。
【０００７】
他の実施の形態では、本発明は一対の累進加入度数レンズを提供し、その一対のレンズは、（ａ）第１のレンズおよび（ｂ）第２のレンズを含み、（ａ）第１のレンズおよび（ｂ）第２のレンズを本質的に有し、および、（ａ）第１のレンズおよび（ｂ）第２のレンズを有し、（ａ）第１のレンズは、第１の加入度数、度数および基底を備えた第１の近用度数帯の垂直プリズム、および度数および基底を備えた実質的にレンズ全体に加入された第１の垂直プリズムを含み、第１の加入度数、度数および基底を備えた第１の近用度数帯の垂直プリズム、および度数および基底を備えた実質的にレンズ全体に加入された第１の垂直プリズムを本質的に有し、および、第１の加入度数、度数および基底を備えた第１の近用度数帯の垂直プリズム、および度数および基底を備えた実質的にレンズ全体に加入された第１の垂直プリズムを有し、（ｂ）第２のレンズは、第２の加入度数、度数および基底を備えた第２の近用度数帯の垂直プリズム、および度数および基底を備えた実質的にレンズ全体に加入された第２の垂直プリズムを含み、第２の加入度数、度数および基底を備えた第２の近用度数帯の垂直プリズム、および度数および基底を備えた実質的にレンズ全体に加入された第２の垂直プリズムを本質的に有し、および、第２の加入度数、度数および基底を備えた第２の近用度数帯の垂直プリズム、および度数および基底を備えた実質的にレンズ全体に加入された第２の垂直プリズムを有し、第１の加入された垂直プリズムおよび第２の加入された垂直プリズムの基底は、各々、対応する第１の近用度数帯および第２の近用度数帯の垂直プリズムの基底と逆向きであり、第１の加入された垂直プリズムおよび第２の加入された垂直プリズムの度数は、各々、対応する第１の加入度数および第２の加入度数の約０．２５％に等しく、第１のレンズの任意の点での垂直プリズムおよび第２のレンズの対応する点での垂直プリズムの間の差は実質的に０．５ジオプター以下である。
【０００８】
累進加入度数レンズの遠用度数帯から近用度数帯までの度数の連続的な変化がレンズに垂直プリズムを導入し、導入された垂直プリズムの度数がレンズの適合点（fitting point）から近用度数帯までの度数の変化に対応して変化することが本発明によって見出された。この垂直プリズムの度数および向きはレンズの遠用度数帯および近用度数帯の球面度数に対応して決まる。
【０００９】
典型的には、プリズムは基底上方または基底下方である。「基底上方」は、プリズムの基底がレンズの表面上で９０度の向きに配置されていることを意味し、「基底下方」は、プリズムの基底がレンズの表面上で２７０度の向きに配置されていることを意味する。近用度数帯の正の球面度数に対しては、垂直プリズムは基底上方プリズムであり、負の球面度数に対しては垂直プリズムは基底下方プリズムである。基底上方プリズムの効果は、レンズの装用者によって目視される像を湾曲および拡大するものである。基底下方プリズムは、像を湾曲させて像を上側に移動させる。したがって、累進加入度数レンズの近用度数帯に固有の処方されていないプリズムはレンズの装用者に対する像の質を低下させる。
【００１０】
累進加入度数レンズの像の質が垂直プリズムを実質的にレンズ全体に加入することで改善されることが本発明によってさらに見出された。加入されるプリズムの基底は、レンズの近用度数帯に固有の処方されていない垂直プリズムの基底と逆の向きである。垂直プリズムが実質的にレンズ全体に加入されているので、加入されるプリズムの度数は、遠用度数帯での視力を実質的に低下させないようにレンズの装用者が許容できるような大きさに制限されなければならない。典型的には、視力表を用いた測定で一ラインより多い視力の損失はレンズの装用者によって許容されない。したがって、好ましくは、加入される垂直プリズムの度数の大きさはレンズの加入度数の約０．２５％に等しい。より好ましくは、装用される一対のレンズでは、加入されるプリズムの度数の大きさは、レンズ装用者によって装用される一対のレンズの両方でほぼ等しい。最も好ましくは、一対のレンズに加入されるプリズムの度数の大きさは、右眼用のレンズの任意の点での垂直プリズムが、左眼用のレンズの対応する点での垂直プリズムとは約０．５ジオプター以下の大きさだけ相違する。
【００１１】
本発明のレンズは、任意の好都合な手段で製造されてよく、眼用レンズを製造するのに適した任意の公知の材料から作られてよい。適切な材料には、限定を意図するものではないが、ポリカーボネート、アリルジグリコール、ポリメタクリレート、およびそれらの類似物がある。そのような材料は市販されているか、その製造方法が公知である。さらに、本発明のレンズは、限定を意図するものではないが、グラインディング（grinding）、レンズ全体の注入成形（whole lens casting）、成形（molding）、熱成形（thermoforming）、貼合せ（laminating）、表面の注入成形（surface casting）、または、それらの組み合わせを含む任意の通常のレンズ製造方法によって製造されてよい。注入成形は任意の手段で実施されてよいが、好ましくは、限定を意図するものではないが、米国特許第５，１４７，５８５号、同第５，１７８，８００号、同第５，２１９，４９７号、同第５，３１６，７０２号、同第５，３５８，６７２号、同第５，４８０，６００号、同第５，５１２，３７１号、同第５，５３１，９４０号、同第５，７０２，８１９号、および同第５，７９３，４６５号に記載されたものを含む表面の注入成形によって実施され、これらの米国特許は参照文献として引用される。
【００１２】
垂直プリズムの度数はさまざまな方法を用いてレンズに加入されてよい。使用される特定の方法は、レンズを製造するのに使用される方法に応じて選択される。例えば、サーフェーシング（surfacing）がレンズのひとつまたは複数の表面を製造するのに用いられるレンズでは、加入される垂直プリズムの度数はそのサーフェーシングプロセスの間に組込まれてよく、すなわち、限定を意図するものではないが、オフセットブロッキング法（offset blocking techniques）を用いて組込まれてよい。他の方法として、ひとつまたは複数の表面が、またはレンズ全体が注入成形されるレンズでは、レンズまたは表面を成形するために用いられる成形型が垂直プリズムの度数を加入するように傾けられてよい。そのように成形型を傾けてレンズに加入された垂直プリズムの度数は、予備成形物（preform）の表面に対する成形型の表面の傾斜にほぼ等しくなる。例えば、１度の傾斜は約１ジオプターの加入されたプリズムの度数に等しくなる。傾斜の向きはそのプリズムが基底上方および基底下方のいずれであるかを決定する。
【００１３】
図１は、凸面にレンズの加入度数を備えた従来技術の累進加入度数レンズ１０を示している図である。実線１１および実線１２は、各々、遠用視力のラインおよび近用視力のラインに対する光線の軌跡を示していて、レンズを通して目視された対象がより大きい表面曲率によって生じた近用度数帯の処方されていない垂直プリズムを原因としてどのようにシフトするかをも表している。比較対象として、破線１３は加入度数が零のレンズ（単焦点レンズ）の形状を示していて、破線１４は累進加入度数レンズと単焦点レンズの光線の軌跡の違いを示している。図２は、凸面に度数が加入された累進加入度数レンズ２０を示している図である。破線２３はプリズムが加入されていないレンズの形状を示している。実線２１および実線２２は、基底下方のプリズムを製造するために傾けられたレンズの凸面を備えたレンズ２０を示している。その結果としてのレンズの形状および光線の軌跡２５および光線の軌跡２６は、レンズを通して目視された対象が近用度数帯のより小さい処方されていないプリズムによりほぼシフトしない様子を示している。
【００１４】
好ましい実施の形態では、光学予備成形物が用いられて予備成形物の少なくともひとつの表面上にひとつまたは複数の層が注入成形される。「光学予備成形物」は、光を屈折し凸面および凹面を提供できる光学的に透明な成形物品を意味し、その成形物品は眼鏡レンズの製造に用いるのに適している。光学予備成形物および注入成形された層の度数の各々は、成形される完成品としてのレンズの遠用度数、近用度数、中間度数、円柱度数、またはそれらの組み合わせの一部または全体であってよい。好ましくは、光学予備成形物の少なくともひとつの表面は累進加入度数の表面であり、注入成形された層はさらなる累進加入度数の表面を形成し、最も好ましくは、注入成形された層は光学予備成形物の前面に形成されている。
【００１５】
所望の垂直プリズムの度数を加入するように成形型および予備成形物を位置決めすることは、ジンバルホルダー（gimbal holder）、グリッパー（gripper）、真空グリッパー（vacuum gripper）、または、それらの類似物およびそれらの組み合わせのような任意の好都合な位置決め手段を用いて実施されてよい。好ましくは、位置決めは、ジンバル動作（水平に保つ動作）が可能な固定具内に吸引などの位置決め手段を用いて成形型を配置することによって実施される。必要とされる成形型の転位および傾斜は、限定を意図するものではないが、サーボモーターを含む任意の通常の転位手段を用いて実施されてよい。
【００１６】
所望の成形型および予備成形物の位置決めが達成された後に、注入成形層を形成するための材料が成形型内に供給されてその材料が硬化されて注入成形層が形成される。このプロセスに用いるのに適した材料には、限定を意図するものではないが、米国特許第５，４７０，８９２号に開示された材料があり、この米国特許は参照文献として引用される。さらに、適切なモノマーとして、限定を意図するものではないが、ジエチレングリコールビス（アリル）カーボネート、ビスフェノールＡジアリルカーボネート、およびそれらの類似物のようなアリルカーボネートおよびビス（アリル）カーボネート；エチレングリコールジアクリレート、テトラエチレングリコールジアクリレート、トリプロピレングリコールジアクリレート、トリメチロールプロパントリアクリレート、テトラヒドロフルフリルメタクリレート、テトラヒドロフルフリルアクリレート、ヘキサンジオールメタクリレート、メチルメタクリレート、ブチルメタクリレート、プロピルメタクリレート、ペントエリスリトールテトラアクリレート、ウレタンアクリレート、およびウレタンメタクリレートなどのアクリル酸多官能価アクリレートおよびメタクリレート；ジビニルベンゼン、４−ビニルアニソールなどのスチレンおよびスチレン誘導体；さまざまなエステルまたはマレイン酸およびイタコン酸；メタクリル酸無水物およびアクリル酸無水物；およびそれらの類似物およびそれらの組み合わせがある。そのようなモノマーは市販されているか、その製造方法が知られている。予備成形物に用いるのに適した材料は、上記の材料のうち眼鏡レンズの材料として用いられるものである。
【００１７】
供給された材料の硬化は、限定を意図するものではないが、熱硬化、放射線硬化、可視光線硬化、およびそれらの組み合わせを含む任意の通常の手段によって行なわれてよい。好ましくは、紫外線硬化が用いられ、より好ましくは２ステージ紫外線硬化が用いられて、成形型が弱い強度の紫外線に曝されて次に強い強度の紫外線に曝される。
【００１８】
他の実施の形態では、プリズムがレンズの２つの層の境界に導入され、各層は好ましくは異なる屈折率を有する。プリズムの量は、レンズの面積全体で一定である、ｘ軸の上で一定である、ｘ軸の下で別の一定の値である、ｘ軸で混合されｘ軸の両側で不連続である、レンズの適合点から近用度数帯まで滑らかかつ単調に段階的に変化する、または、それらの組み合わせ、のうちのひとつであってよい。加入されたプリズムの大きさまたは量が適合点から近用度数帯までで変化する実施の形態では、プリズムの大きさの変化は累進加入度数チャネル（中間帯）に望ましくない非点収差が導入されないように段階的なものでなければならない。加入されたプリズムの大きさは、標準的な光学原理に基づいた２つの層の屈折率の差を考慮したものでなければならない。プリズムを内部の境界に配置することは、それによって遠用度数帯および近用度数帯のプリズムの量を別個に制御できるようになり、レンズの製造が容易になるので、有益である。
【００１９】
本発明は、以下の非限定的な実施例によってさらに明瞭となる。
【実施例】
【００２０】
実施例１
図３は、レンズ全体での加入度数の一部が凸面３５に配置され、レンズ全体での加入度数の他の部分が凹面３６に配置された累進加入度数レンズ３０を示している図である。この実施例のレンズは、光学予備成形物の凸面上に累進加入度数の表面を注入成形して形成された。全加入度数が２．２５ジオプターのレンズが、加入度数が０．７５ジオプターの凹面および加入度数が１．５０ジオプターの凸面を用いて製造された。全加入度数が１．５０ジオプターのレンズが、加入度数が０．７５ジオプターの凹面および加入度数が０．７５ジオプターの凸面を用いて製造された。実線３１および実線３２は、各々、遠用視力のラインおよび近用視力のラインに対する光線の軌跡を示している。破線３３は、単焦点レンズの場合のレンズの形状を表し、破線３４は単焦点レンズでの光線の軌跡のシフトを示している。表１は、プリズムが加入されていないレンズ３０のような単焦点レンズの水平および垂直プリズム度数を示している。加入度数が２．２５ジオプターのレンズでは、近用度数帯での処方されていない垂直プリズムは、０．６５ジオプターから１．１２ジオプターまでの範囲内の基底上方のプリズム度数である。加入度数が１．５０ジオプターのレンズでは、近用度数帯の処方されていない垂直プリズムは、０．４９ジオプターから０．５９ジオプターまでの範囲内の基底上方のプリズム度数である。
【表１】
2005503576.tif 000003
【００２１】
図４は、基底下方のプリズムを生み出すために傾斜された凸面４５を用いて製造された累進加入度数レンズ４０を示している図である。これらのレンズは、光学予備成形物に累進加入度数の表面を注入成形して形成された。予備成形物のｘ軸に関して予備成形物と以下の式で与えられる角度Ｂをなすように、累進加入度数の表面を注入成形するために用いられるガラス成形型を傾斜させることによって、垂直プリズムがレンズに加入された。
【数１】
2005503576.tif 000004
ここで、ｎは注入成形層の屈折率であり、Ｐは導入されたプリズムである。次に、適切な注入成形用の樹脂が加えられて樹脂が硬化されて図示されたレンズが形成された。加入された垂直プリズムの量は加入度数の半分に等しかった。加入度数が２．２５ジオプターのレンズでは、約１．１２ジオプターの基底下方のプリズムが加入された。加入度数が１．５０ジオプターのレンズでは、約０．７５ジオプターの基底下方のプリズムが加入された。実線４１および実線４２は、各々、遠用視力のラインおよび近用視力のラインに対するレンズを通過する光線の軌跡を示している。破線４４は、プリズムが加入されていない場合の光線の軌跡を示している。
【００２２】
表２は、垂直プリズム度数が加入された表１のレンズを示している。表１および表２を比較すると分かるように、近用度数帯の垂直プリズム度数が、加入されたプリズム度数によって低減されている。
【表２】
2005503576.tif 000005
【００２３】
実施例２
図５は、一方の表面が１．６０の屈折率の材料から作られ、もう一方の表面が１．５０の屈折率の材料から作られた２つの表面５４，５５の間の境界部に均一の大きさの基底下方のプリズムが導入されたレンズ５０を示している。レンズの凸面５４は６．００ジオプターの遠用度数帯の曲率と７．００ジオプターの近用度数帯の曲率とを有する。凹面５５は６．００ジオプターの遠用度数帯の曲率と５．００ジオプターの近用度数帯の曲率とを有する。レンズの遠用度数は０．００ジオプターであり、加入度数は２．００ジオプターである。境界部５６の湾曲は６．００ジオプターであり、凸面５４に対して６度（Ｄ）だけ傾けられていて、レンズ全体に亘って、以下の式で与えられる基底下方のプリズム（Ｐ）を生み出している。
【数２】
2005503576.tif 000006
実線５１および実線５２は、各々、遠用視力のラインおよび近用視力のラインに対するレンズを通過する光線の軌跡を示していて、破線５３は、プリズムが加入されていない場合の光線の軌跡を示している。
【００２４】
実施例３
図６は、１．６０ジオプターの屈折率の材料および１．５０ジオプターの屈折率の材料で作られたレンズの２つの表面６４，６５の間の境界部に段階的に増加する大きさの基底下方のプリズムが導入されたレンズ６０を示している。レンズの凸面６４は６．００ジオプターの遠用度数帯の曲率と７．００ジオプターの近用度数帯の曲率とを有する。凹面６５の遠用度数帯の曲率は６．００ジオプターであり、近用度数帯の曲率は５．００ジオプターである。レンズの遠用度数は０．００ジオプターであり、加入度数は２．００ジオプターである。適合点から上（ｙ＞０ｍｍ）の遠用度数帯内の境界部６６の曲率は６．００ジオプターであり、遠用度数帯の凸面と平行である。これによって適合点にプリズムが導入されない。近用度数帯の上部より下（ｙ＜１５ｍｍ）の曲率は６．００ジオプターであり、凸面に対して６度（Ｄ）だけ傾けられていて、以下の式で与えられる近用度数帯内の基底下方のプリズム（Ｐ）を導入している。
【数３】
2005503576.tif 000007
適合点と近用度数帯の上部との間（０ｍｍ＞ｙ＞−１５ｍｍ）の境界部の曲率は、視覚的な障害を最小にするようにそれらの座標（ｙ＝０ｍｍ，ｙ＝−１５ｍｍ）の上および下の曲率と滑らかに融合されている。実線６１および実線６２は、各々、遠用視力のラインおよび近用視力のラインに対するレンズを通過する光線の軌跡を示していて、破線６３は、プリズムが加入されていない場合の光線の軌跡を示している。
【図面の簡単な説明】
【００２５】
【図１】従来技術の累進加入度数レンズの拡大断面図である。
【図２】プリズム度数が加入された図１の累進加入度数レンズの拡大断面図である。
【図３】実施例１に用いられる従来技術の累進加入度数レンズの拡大断面図である。
【図４】図３のレンズにプリズム度数が加入された実施例１の累進加入度数レンズの拡大断面図である。
【図５】境界部に均一のプリズム度数が加入された累進加入度数レンズの拡大断面図である。
【図６】境界部に段階的なプリズム度数が加入された累進加入度数レンズの拡大断面図である。
【符号の説明】
【００２６】
１０  累進加入度数レンズ
１１，１２  光線の軌跡
１３  単焦点レンズ
１４  光線の軌跡
２０  累進加入度数レンズ
２１，２２  レンズ
２３  プリズムが加入されていないレンズ
２５，２６  光線の軌跡
３０  累進加入度数レンズ
３１，３２  光線の軌跡
３３  単焦点レンズ
３４  光線の軌跡
３５  凸面
３６  凹面
４０  累進加入度数レンズ
４１，４２  光線の軌跡
４４  光線の軌跡
４５  凸面
５０  レンズ
５１，５２  光線の軌跡
５３  光線の軌跡
５４，５５  表面
５６  境界部
６０  レンズ
６１，６２  光線の軌跡
６３  光線の軌跡
６４，６５  表面
６６  境界部
【国際公開パンフレット】
2005503576.tif 000008
2005503576.tif 000009
2005503576.tif 000010
2005503576.tif 000011
2005503576.tif 000012
2005503576.tif 000013
2005503576.tif 000014
2005503576.tif 000015
2005503576.tif 000016
2005503576.tif 000017
2005503576.tif 000018
2005503576.tif 000019
2005503576.tif 000020
2005503576.tif 000021
2005503576.tif 000022
2005503576.tif 000023
2005503576.tif 000024
2005503576.tif 000025
【国際公開パンフレット（コレクトバージョン）】
2005503576.tif 000026
【国際公開パンフレット（コレクトバージョン）】
2005503576.tif 000027
2005503576.tif 000028
2005503576.tif 000029
2005503576.tif 000030
2005503576.tif 000031
2005503576.tif 000032
2005503576.tif 000033
2005503576.tif 000034
2005503576.tif 000035
2005503576.tif 000036
2005503576.tif 000037
2005503576.tif 000038
2005503576.tif 000039
2005503576.tif 000040
2005503576.tif 000041
2005503576.tif 000042
2005503576.tif 000043
2005503576.tif 000044
【国際調査報告】
2005503576.tif 000045
2005503576.tif 000046